(57)【要約】【課題】放送禁止用語や差別用語などの有害語句をメモリに記憶させておき、有害語句を含む文を操作（メール送信、Ｗｅｂサイトへの書き込み、電話帳登録、など）しようとした場合には警告を発することにより、有害語句の外部流出を禁止することを可能とする。【解決手段】携帯電話手段とインターネットアクセス手段と電子メール手段と、を備えた携帯電話機において、有害語句のリストを記憶保持する有害語句辞書と、使用したくない語句のリストを記憶保持する任意設定語句辞書と、文字入力が行われ入力された文字列を送出或いは設定する操作が行われたときに、前記入力された文字列中に、前記有害語句辞書或いは前記任意設定語句辞書内の語句のリストに一致する語句が存在した場合に、該当語句を表示装置に表示し、前記入力された文字列を前記携帯電話機から送出或いは前記携帯電話機に設定する前記操作を無効とする制御を行う有害語句認識手段と、を備える。【選択図】      図２
2005092305.tif 000002
【特許請求の範囲】
【請求項１】
音声通信や電話帳データの設定、或いは、着信音の設定など、携帯電話機本来の処理を行う携帯電話手段と、インターネット上のＷＷＷサーバなどに接続し、ホームページの閲覧や電子掲示板へのアクセス、或いは、チャットなどを行うインターネットアクセス手段と、電子メールの作成やその送受信を行う電子メール手段と、を備えた携帯電話機において、
放送禁止用語や差別用語などの有害語句のリストを記憶保持する有害語句辞書と、使用したくない語句のリストを記憶保持する任意設定語句辞書と、前記携帯電話機のユーザインタフェースにより文字入力が行われ、入力された文字列を送出或いは設定する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機から送出或いは前記携帯電話機に設定する前記操作を無効とする制御を行う有害語句認識手段と、を備えることを特徴とする携帯電話機。
【請求項２】
前記携帯電話機は、更に、使用したくない語句を前記任意設定語句辞書に登録或いは前記任意設定語句辞書から削除する任意設定語句登録／削除手段を備える、ことを特徴とする請求項１に記載の携帯電話機。
【請求項３】
前記有害語句辞書内の有害語句のリストは、前記インターネットアクセス手段によりインターネット上のＷＷＷサーバからダウンロードされるものである、ことを特徴とする請求項１或いは請求項２の何れか１項に記載の携帯電話機。
【請求項４】
前記有害語句認識手段は、前記電子メール手段を使用して前記携帯電話機のユーザインタフェースにより文字入力が行われ、前記入力された文字列を電子メールとして送出する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機から電子メールとして送出する前記操作を無効とする制御を行う、ことを特徴とする請求項１から請求項３の何れか１項に記載の携帯電話機。
【請求項５】
前記有害語句認識手段は、前記インターネットアクセス手段を使用して前記携帯電話機のユーザインタフェースにより文字入力が行われ、前記入力された文字列をＷｅｂサイトへ書き込むために送出する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機からＷｅｂサイトへ書き込むために送出する前記操作を無効とする制御を行う、ことを特徴とする請求項１から請求項３の何れか１項に記載の携帯電話機。
【請求項６】
前記有害語句認識手段は、前記携帯電話手段を使用して前記携帯電話機のユーザインタフェースにより文字入力が行われ、前記入力された文字列を電話帳データとして設定する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機の電話帳データとして設定する前記操作を無効とする制御を行う、ことを特徴とする請求項１から請求項３の何れか１項に記載の携帯電話機。
【請求項７】
音声通信や電話帳データの設定、或いは、着信音の設定など、携帯電話機本来の処理を行う携帯電話手段と、インターネット上のＷＷＷサーバなどに接続し、ホームページの閲覧や電子掲示板へのアクセス、或いは、チャットなどを行うインターネットアクセス手段と、電子メールの作成やその送受信を行う電子メール手段と、放送禁止用語や差別用語などの有害語句のリストを記憶保持する有害語句辞書と、使用したくない語句のリストを記憶保持する任意設定語句辞書と、を備えた携帯電話機のコンピュータに、
前記携帯電話機のユーザインタフェースにより文字入力が行われ、入力された文字列を送出或いは設定する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機から送出或いは前記携帯電話機に設定する前記操作を無効とする制御を行う有害語句認識処理を実行させる、ことを特徴とするプログラム。
【請求項８】
前記携帯電話機のコンピュータに、更に、使用したくない語句を前記任意設定語句辞書に登録或いは前記任意設定語句辞書から削除する任意設定語句登録／削除処理を実行させる、ことを特徴とする請求項７に記載のプログラム。
【請求項９】
前記有害語句辞書内の有害語句のリストを、前記インターネットアクセス手段を動作させることによりインターネット上のＷＷＷサーバからダウンロードさせる処理を実行させる、ことを特徴とする請求項７或いは請求項８の何れか１項に記載のプログラム。
【請求項１０】
前記有害語句認識処理において、前記電子メール手段を使用して前記携帯電話機のユーザインタフェースにより文字入力が行われ、前記入力された文字列を電子メールとして送出する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機から電子メールとして送出する前記操作を無効とする制御を行う、ことを特徴とする請求項７から請求項９の何れか１項に記載のプログラム。
【請求項１１】
前記有害語句認識処理において、前記インターネットアクセス手段を使用して前記携帯電話機のユーザインタフェースにより文字入力が行われ、前記入力された文字列をＷｅｂサイトへ書き込むために送出する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機からＷｅｂサイトへ書き込むために送出する前記操作を無効とする制御を行う、ことを特徴とする請求項７から請求項９の何れか１項に記載のプログラム。
【請求項１２】
前記有害語句認識処理において、前記携帯電話手段を使用して前記携帯電話機のユーザインタフェースにより文字入力が行われ、前記入力された文字列を電話帳データとして設定する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機の電話帳データとして設定する前記操作を無効とする制御を行う、ことを特徴とする請求項７から請求項９の何れか１項に記載のプログラム。
【発明の詳細な説明】
【技術分野】
【０００１】
本発明は携帯電話機及びそのプログラムに関し、特に、放送禁止用語や差別用語などの有害語句の外部流出を禁止することを可能とする、携帯電話機及びそのプログラムに関する。
【背景技術】
【０００２】
近年、携帯電話でも、電子メールの送受信やインターネット接続などが手軽に行えるようになり、様々な情報が行き交う時代になってきた。しかし、一方では、放送禁止用語や差別用語などの有害語句の流出も避けられない状況にもなってきている。
【０００３】
このような有害語句の流出を防止するために、一般的に使用禁止とされている用語が含まれているファクシミリの原稿は、そのままでは相手先に送信しない手段を備えたファクシミリ装置が提案されている（例えば、特許文献１参照。）。
【０００４】
上述した特許文献１に記載の「ファクシミリ装置」においては、原稿の画像を読み取るイメージセンサと、画像データにおける文字、マーク等をコードデータに変換するＯＣＲと、送信先となる複数の宛先や電話番号や、複数の宛先の個々に対してその宛先に送ってはならない文字、マーク等の禁止内容が記憶されているＲＡＭと、ＲＡＭに格納されている禁止内容とＯＣＲからの文字、マーク等とを照合する送受信禁止情報照合部とを備え、送受信禁止情報照合部による照合の結果、禁止内容が原稿に含まれている場合には、送信を禁止すると共に、その旨を操作部に表示させるようになっている。
【０００５】
また、利用者コンピュータから送られてくる電子掲示板への掲載希望メッセージについて、電子掲示板に掲載することは不適当であるとして事前に選出された用語が登録されている掲載禁止用語集に照らして検査を行い、掲載希望メッセージに掲載禁止用語集中の用語が含まれていない場合は、当該メッセージを電子掲示板に登録し、掲載禁止用語集中の用語が含まれている場合には、利用者コンピュータに対してメッセージを掲載できない旨を通知するようにしている電子掲示板システムも提案されている（例えば、特許文献２参照。）。
【０００６】
【特許文献１】特開平１１−０３２１３６号公報（第３−４頁、図１−４）
【特許文献２】特開平１１−２５９３８９号公報（第３−５頁、図１−３）
【発明の開示】
【発明が解決しようとする課題】
【０００７】
上述した特許文献１に記載の従来の「ファクシミリ装置」においては、放送禁止用語や差別用語のような一般的な禁止内容は、ファクシミリ装置の製造時に予めＲＡＭ内に登録されており、これを後に変更するようなことは出来ないようになっている。
【０００８】
また、上述した特許文献２に記載の従来の「電子掲示板システム」においては、掲載禁止用語集はサーバコンピュータ側に備えられており、利用者コンピュータ側で事前に掲載禁止用語集の用語を知ることは出来ないようになっている。
【０００９】
本発明は上述した事情を改善するために成されたものであり、従って本発明の目的は、放送禁止用語や差別用語などの有害語句をメモリに記憶させておき、有害語句を含む文を操作（メール送信、Ｗｅｂサイトへの書き込み、電話帳登録、など）しようとした場合には警告を発することにより、有害語句の外部流出を禁止することを可能とする、携帯電話機及びそのプログラムを提供することにある。
【課題を解決するための手段】
【００１０】
本発明の携帯電話機は、音声通信や電話帳データの設定、或いは、着信音の設定など、携帯電話機本来の処理を行う携帯電話手段と、インターネット上のＷＷＷサーバなどに接続し、ホームページの閲覧や電子掲示板へのアクセス、或いは、チャットなどを行うインターネットアクセス手段と、電子メールの作成やその送受信を行う電子メール手段と、を備えた携帯電話機において、
放送禁止用語や差別用語などの有害語句のリストを記憶保持する有害語句辞書と、使用したくない語句のリストを記憶保持する任意設定語句辞書と、前記携帯電話機のユーザインタフェースにより文字入力が行われ、入力された文字列を送出或いは設定する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機から送出或いは前記携帯電話機に設定する前記操作を無効とする制御を行う有害語句認識手段と、を備えることを特徴とする。
【００１１】
また、前記携帯電話機は、更に、使用したくない語句を前記任意設定語句辞書に登録或いは前記任意設定語句辞書から削除する任意設定語句登録／削除手段を備える、ことを特徴とする。
【００１２】
さらに、前記有害語句辞書内の有害語句のリストは、前記インターネットアクセス手段によりインターネット上のＷＷＷサーバからダウンロードされるものである、ことを特徴とする。
【００１３】
また、前記有害語句認識手段は、前記電子メール手段を使用して前記携帯電話機のユーザインタフェースにより文字入力が行われ、前記入力された文字列を電子メールとして送出する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機から電子メールとして送出する前記操作を無効とする制御を行う、ことを特徴とする。
【００１４】
さらに、前記有害語句認識手段は、前記インターネットアクセス手段を使用して前記携帯電話機のユーザインタフェースにより文字入力が行われ、前記入力された文字列をＷｅｂサイトへ書き込むために送出する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機からＷｅｂサイトへ書き込むために送出する前記操作を無効とする制御を行う、ことを特徴とする。
【００１５】
また、前記有害語句認識手段は、前記携帯電話手段を使用して前記携帯電話機のユーザインタフェースにより文字入力が行われ、前記入力された文字列を電話帳データとして設定する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機の電話帳データとして設定する前記操作を無効とする制御を行う、ことを特徴とする。
【００１６】
本発明のプログラムは、音声通信や電話帳データの設定、或いは、着信音の設定など、携帯電話機本来の処理を行う携帯電話手段と、インターネット上のＷＷＷサーバなどに接続し、ホームページの閲覧や電子掲示板へのアクセス、或いは、チャットなどを行うインターネットアクセス手段と、電子メールの作成やその送受信を行う電子メール手段と、放送禁止用語や差別用語などの有害語句のリストを記憶保持する有害語句辞書と、使用したくない語句のリストを記憶保持する任意設定語句辞書と、を備えた携帯電話機のコンピュータに、
前記携帯電話機のユーザインタフェースにより文字入力が行われ、入力された文字列を送出或いは設定する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機から送出或いは前記携帯電話機に設定する前記操作を無効とする制御を行う有害語句認識処理を実行させる、ことを特徴とする。
【００１７】
また、前記携帯電話機のコンピュータに、更に、使用したくない語句を前記任意設定語句辞書に登録或いは前記任意設定語句辞書から削除する任意設定語句登録／削除処理を実行させる、ことを特徴とする。
【００１８】
さらに、前記有害語句辞書内の有害語句のリストを、前記インターネットアクセス手段を動作させることによりインターネット上のＷＷＷサーバからダウンロードさせる処理を実行させる、ことを特徴とする。
【００１９】
また、前記有害語句認識処理において、前記電子メール手段を使用して前記携帯電話機のユーザインタフェースにより文字入力が行われ、前記入力された文字列を電子メールとして送出する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機から電子メールとして送出する前記操作を無効とする制御を行う、ことを特徴とする。
【００２０】
さらに、前記有害語句認識処理において、前記インターネットアクセス手段を使用して前記携帯電話機のユーザインタフェースにより文字入力が行われ、前記入力された文字列をＷｅｂサイトへ書き込むために送出する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機からＷｅｂサイトへ書き込むために送出する前記操作を無効とする制御を行う、ことを特徴とする。
【００２１】
また、前記有害語句認識処理において、前記携帯電話手段を使用して前記携帯電話機のユーザインタフェースにより文字入力が行われ、前記入力された文字列を電話帳データとして設定する操作が行われたときに、前記入力された文字列中に、前記有害語句辞書或いは前記任意設定語句辞書内の語句のリストに一致する語句が存在するか否かを判定し、一致する語句が存在した場合に、該当語句を前記携帯電話機の表示装置に表示する事により警告を発し、前記入力された文字列を前記携帯電話機の電話帳データとして設定する前記操作を無効とする制御を行う、ことを特徴とする。
【発明の効果】
【００２２】
本発明の携帯電話機及びそのプログラムは、放送禁止用語や差別用語などの有害語句をメモリに記憶させておき、有害語句を含む文を操作（メール送信、Ｗｅｂサイトへの書き込み、電話帳登録、など）しようとした場合には警告を発するようにしているため、有害語句が携帯電話機外部へ流出することを禁止可能となる、という効果を有している。
【００２３】
また、警告を発する場合、どのような語句が有害語句なのかを併せ表示しているため、普段何気なく使用していた語句が、実は放送禁止用語あるいは差別用語であったことを、ユーザに認識させることが可能となる、という効果を有している。
【発明を実施するための最良の形態】
【００２４】
次に、本発明の実施の形態について図面を参照して説明する。
【００２５】
図１は、本発明の携帯電話機の一実施形態を示すブロック図である。
【００２６】
図１に示す本実施の形態において携帯電話機１００は、プログラム制御により動作するＣＰＵ（Ｃｅｎｔｒａｌ  Ｐｒｏｃｅｓｓｉｎｇ  Ｕｎｉｔ：中央処理装置）を備える制御部５と、制御部５に接続され、携帯電話機１００を動作させるプログラム群、及び、有害語句の辞書などを記憶・保持するメモリ部６と、制御部５に接続され、携帯電話機１００への音声入力を行うマイク、及び、音声出力を行うスピーカとから成るマイク／スピーカ７と、制御部５によって出力される映像・文字データを表示するＬＣＤ（Ｌｉｑｕｉｄ  Ｃｒｙｓｔａｌ  Ｄｉｓｐｌａｙ：液晶表示）８と、制御部５へテンキーや操作キーからデータを入力するユーザインタフェースとしてのキー操作部９と、制御部５から出力される信号を変調する変調部４と、制御部５へ復調された信号を入力する復調部３と、変調部４からの信号を無線信号に変換すると共に、アンテナ部１からの無線信号を復調部３へ出力する無線部２と、無線部２と接続され図示しない基地局と無線信号の送受信を行うアンテナ部１と、から構成されている。
【００２７】
次に、図２を参照して、携帯電話機１００の制御部５及びメモリ部６の構成について説明する。
【００２８】
図２は、制御部及びメモリ部の一例を示す詳細ブロック図である。
【００２９】
図２において、メモリ部６には、携帯電話機１００を動作させるプログラム群、すなわち、複数のプログラム６１−１、プログラム６１−２、プログラム６１−ｎと、放送禁止用語や差別用語などの有害語句を記憶・保持する有害語句辞書６２と、携帯電話機１００のユーザが使用したくないとして設定した語句を記憶・保持する任意設定語句辞書６３と、が記憶されている。
【００３０】
また、制御部５は、音声通信や電話帳データの設定、或いは、着信音の設定など、携帯電話機本来の処理を行う携帯電話手段５１と、インターネット上のＷＷＷ（Ｗｏｒｌｄ  Ｗｉｄｅ  Ｗｅｂ：ワールドワイドウェブ）サーバなどに接続し、ホームページの閲覧や電子掲示板へのアクセス、或いは、チャット（ｃｈａｔ：おしゃべり）などを行うインターネットアクセス手段５２と、電子メールの作成やその送受信を行う電子メール手段５３と、メモリ部６の任意設定語句辞書６３へユーザの指定する語句の登録或いは削除を行う任意設定語句登録／削除手段５４と、電子メールの送信や、電子掲示板への書き込みやチャットなどでのＷｅｂサイトへの書き込み、或いは、携帯電話機１００の電話帳データの設定時、などにおいて、これらの文字列中に有害語句が含まれているか否かを判定し、有害語句が含まれている場合に、これらの文字列を携帯電話機１００の外部へ流出させない制御を行う有害語句認識手段５５と、から構成されている。これらの各手段は、メモリ部６のプログラム６１によって動作するようになっている。
【００３１】
なお、図１に示した携帯電話機１００は、概略、以下のように動作する。
【００３２】
すなわち、携帯電話機１００への電子メール受信時或いは音声通信の着信時に、図示しない基地局からの受信信号がアンテナ部１で受信され、無線部２で増幅され、復調部３で復調された後、制御部５にてデコードされる。また、電子メールの送信時或いは音声通信の発信時の送信信号は、制御部５にてエンコードされ、変調部４で変調され、無線部２で増幅された後、アンテナ部１から図示しない基地局へ送信される。
【００３３】
次に、図３を参照して、図１、図２に示した本実施形態の動作について詳細に説明する。
【００３４】
図３は、本実施形態の動作を説明するフローチャートである。
【００３５】
先ず、図３のステップＳ１において、携帯電話機１００のメモリ部６の有害語句辞書６２及び任意設定語句辞書６３へ、放送禁止用語や差別用語などの有害語句を設定しておく。
【００３６】
有害語句の設定には、２つの方法がある。１つは、携帯電話事業者などがインターネット上に開設しているホームページにアクセスし、該ホームページに掲載されている有害語句のリストを携帯電話機１００の有害語句辞書６２にダウンロードする方法である。すなわち、携帯電話機１００のユーザは、制御部５のインターネットアクセス手段５２を使用して、携帯電話事業者などがインターネット上に開設しているホームページにアクセスし、該ホームページに掲載されている有害語句のリストを携帯電話機１００の有害語句辞書６２にダウンロードする。この操作により、有害語句辞書６２に有害語句のリストが設定される。
【００３７】
有害語句の設定の第２の方法は、携帯電話機１００のユーザが、どうしても使用したくない語句（以下、任意設定語句と称するものとする）を、携帯電話機１００の任意設定語句辞書６３に設定する方法である。すなわち、携帯電話機１００のユーザは、制御部５の任意設定語句登録／削除手段５４を起動する。任意設定語句登録／削除手段５４は、先ず、図４（ａ）に示す画面をＬＣＤ８に表示する。図４（ａ）の画面は、使用したくない語句（すなわち、任意設定語句）の登録・設定の開始をユーザに知らせる画面である。
【００３８】
ここで、ユーザが「いいえ」ボタン４２を選択すれば任意設定語句登録／削除手段５４は処理を終了するが、「はい」ボタン４１を選択すると、図４（ｂ）に示す画面がＬＣＤ８に表示される。そこで、ユーザが語句入力ウィンドウ４３に任意設定語句、例えば、「○○○」という語句を入力し、キー操作部９の決定キーなどを押下することにより、図４（ｃ）に示す画面に遷移し、ウィンドウ４４に入力した任意設定語句「○○○」が表示される。ここで、ユーザが「はい」ボタン４５を選択することにより、任意設定語句「○○○」が任意設定語句辞書６３に登録される。「いいえ」ボタン４６を選択すれば、これまでの操作は無効となる。なお、任意設定語句辞書６３に既に登録されている任意設定語句を削除する場合も、図４に示した画面とほぼ同様の画面で削除することが可能である。これらの操作により、任意設定語句辞書６３にユーザがどうしても使用したくない語句が有害語句として登録され設定される。
【００３９】
なお、任意設定語句辞書６３へ任意設定語句を登録／削除する場合、第三者にその語句を見られることを防止するため、任意設定語句登録／削除手段５４を起動する際に、パスワードの入力を求める機能を備えさせておいても良い。
【００４０】
図３のステップＳ１において有害語句辞書６２及び任意設定語句辞書６３へ有害語句を設定した後、ステップＳ２において携帯電話機１００のユーザは、キー操作部９などのユーザインタフェースを使用して文字入力を行う。ステップＳ２における文字入力は、制御部５の電子メール手段５３により、電子メールの本文を入力する場合、又は、インターネットアクセス手段５２により、電子掲示板への書き込み或いはチャットなどでのＷｅｂサイトへの書き込みを行う場合、又は、携帯電話手段５１により、電話帳データを設定する場合、などにおいて行われる。
【００４１】
そして、文字入力を終了したユーザが、その処理を行おうとしたとき、すなわち、電子メールの送信を行おうとしたとき、又は、Ｗｅｂサイトへの書き込み・送信を行おうとしたとき、又は、電話帳データを登録・設定させようとしたとき、ステップＳ３において有害語句認識手段５５が起動され、入力された文字列の中に有害語句が含まれているか否かを判定する。有害語句認識手段５５は、入力された文字列を有害語句辞書６２及び任意設定語句辞書６３に照らし合わせ、入力された文字列中に有害語句辞書６２及び任意設定語句辞書６３内の有害語句のリストに合致する語句が有るか否かによって判定を行う。
【００４２】
入力された文字列中に有害語句が含まれていない場合は（ステップＳ３でＮＯ）、ステップＳ６においてユーザが行おうとした処理を実行し（すなわち、電子メールの送信処理、又は、Ｗｅｂサイトへの書き込み処理、又は、電話帳データの登録・設定処理）、ステップＳ８にて処理を終了して待ち受け画面に戻る等を行う。
【００４３】
入力された文字列中に有害語句が含まれている場合は（ステップＳ３でＹＥＳ）、ステップＳ４において、入力された文字列中に有害語句が使用されている旨のメッセージをＬＣＤ８に表示する。図５に、有害語句が使用されている旨のメッセージの表示例を示す。
【００４４】
図５（ａ）は、電子メールの送信を行おうとしたときの表示例であり、図５（ｂ）は、Ｗｅｂサイトへの書き込み・送信を行おうとしたときの表示例であり、図５（ｃ）は、電話帳データを登録・設定させようとしたときの表示例である。図５（ａ）（ｂ）（ｃ）の何れにおいても、使用されていた有害語句を表示するウィンドウ５１（５１−１、５１−２、５１−３）を備えており、ウィンドウ５１内に使用されていた有害語句が、例えば、「○○○」のように表示される。そして、これまでの操作を中断させるか否かを選択するためのボタン、すなわち、「はい」ボタン５２（５２−１、５２−２、５２−３）と「いいえ」ボタン５３（５３−１、５３−２、５３−３）とが併せ表示されている。
【００４５】
ステップＳ４の表示の後、有害語句認識手段５５は、ステップＳ５において、これまでの操作が中断されるか否かの判定を行う。
【００４６】
そして、携帯電話機１００のユーザが図５の「はい」ボタン５２を選択した場合には（ステップＳ５でＹＥＳ）、これまでの操作を中断して終了し、ステップＳ８に進んで待ち受け画面に戻る等の処理を行う。
【００４７】
図５の「いいえ」ボタン５３が選択された場合には（ステップＳ５でＮＯ）、ステップＳ７において、ステップＳ２で入力された文字を全て消去して、文字入力の画面に何も書かれていない状態に戻し、ステップＳ２に戻り次の文字入力を行わせる。
【００４８】
なお、図５においては、（ａ）（ｂ）（ｃ）としてそれぞれ、電子メールの送信時、Ｗｅｂサイトへの書き込み・送信時、電話帳データの登録・設定時、のメッセージを区別して表示していたが、この区別なく図６に示すようなメッセージとしてまとめて表示するようにしても良い。図６における参照数字の意は、図５における参照数字の意と同一である。
【００４９】
以上説明したように、本実施形態によれば、放送禁止用語や差別用語などの有害語句をメモリに記憶しておき、入力された文字列をメモリに記憶されている有害語句のリストに照らして検査し、入力された文字列に有害語句が含まれている場合には、ユーザに対して警告を発するようにしているため、有害語句を含んだ文字列が電子メールで送信されてしまうこと、又は、Ｗｅｂサイトに書き込まれてしまうこと、又は、電話帳データとして登録・設定されてしまうこと、を防止することが可能となり、その結果、有害語句を携帯電話機外部へ流出させてしまうことが禁止可能となる。
【００５０】
また、何が有害語句であるかを画面表示するようにしているため、普段何気なく使用していた語句が、実は放送禁止用語あるいは差別用語であったことをユーザに認識させることが可能となり、秩序ある言論を守るための一端を担うことを可能とさせる。
【図面の簡単な説明】
【００５１】
【図１】本発明の携帯電話機の一実施形態を示すブロック図である。
【図２】制御部及びメモリ部の一例を示す詳細ブロック図である。
【図３】本実施形態の動作を説明するフローチャートである。
【図４】任意設定語句辞書への語句の登録手順の画面例を示す図である。
【図５】有害語句が使用されている旨のメッセージの表示例を示す図である。
【図６】有害語句が使用されている旨のメッセージの第２の表示例を示す図である。
【符号の説明】
【００５２】
１    アンテナ部
２    無線部
３    復調部
４    変調部
５    制御部
５１    携帯電話手段
５２    インターネットアクセス手段
５３    電子メール手段
５４    任意設定語句登録／削除手段
５５    有害語句認識手段
６    メモリ部
６１    プログラム
６２    有害語句辞書
６３    任意設定語句辞書
７    マイク／スピーカ
８    ＬＣＤ
９    キー操作部
１００    携帯電話機
【図１】
2005092305.tif 000003
【図２】
2005092305.tif 000004
【図３】
2005092305.tif 000005
【図４】
2005092305.tif 000006
【図５】
2005092305.tif 000007
【図６】
2005092305.tif 000008